(57)【要約】【課題】  二点間に光通信経路を構築する場合に、より最適な光通信経路を選出する。【解決手段】  光通信ネットワークに係る各設備の種類や位置を含む設備情報と、工事や作業を行う場合に許認可が必要な場所を示す許認可情報をデータベース４に記憶し、指定された二点間に構築可能な光通信経路を、データベース４に記憶された情報に基づいて候補光通信経路として割り出し、さらに、各候補光通信経路を構築する際の作業性をデータベース４に記憶された情報に基づいて算出し、その算出結果に基づいて最適な光通信経路を選出する。【選択図】  図２
2010016502.tif 000002
【特許請求の範囲】
【請求項１】
二点間に光通信経路を構築する場合の最適な光通信経路を選出する光通信経路選出システムであって、
光通信ネットワークに係る各設備の種類や位置を含む設備情報を記憶する記憶手段と、
指定された二点間に構築可能な光通信経路を、前記記憶手段に記憶された設備情報に基づいて候補光通信経路として割り出す候補割出手段と、
前記候補割出手段によって割り出された候補光通信経路を構築する際の作業性を、前記記憶手段に記憶された設備情報に基づいて算出し、その算出結果に基づいて前記候補光通信経路のなかから最適な光通信経路を選出する経路選出手段と、
を備えることを特徴とする光通信経路選出システム。
【請求項２】
前記最適な光通信経路には、光通信経路が光ケーブルである場合の光ファイバを含む、ことを特徴とする請求項１に記載の光通信経路選出システム。
【請求項３】
前記記憶手段は、工事や作業を行う場合に許認可が必要な場所を許認可情報として記憶し、
前記経路選出手段は、前記記憶手段に記憶された許認可情報に基づいて前記作業性を算出する、ことを特徴とする請求項１または２のいずれか１項に記載の光通信経路選出システム。
【請求項４】
前記設備情報には、光ファイバの接続に関する情報を含む、ことを特徴とする請求項１から３のいずれか１項に記載の光通信経路選出システム。
【請求項５】
前記経路選出手段は、前記記憶手段に記憶された情報に基づいて、前記候補光通信経路の構築コスト、構築に要する期間、経路距離および信頼性の少なくともひとつを算出し、その算出結果と前記作業性とに基づいて最適な光通信経路を選出する、ことを特徴とする請求項１から４のいずれか１項に記載の光通信経路選出システム。
【請求項６】
二点間に光通信経路を構築する場合の最適な光通信経路を選出する光通信経路選出方法であって、
光通信ネットワークに係る各設備の種類や位置を含む設備情報に基づいて、指定された二点間に構築可能な光通信経路を候補光通信経路として割り出すステップと、
割り出した候補光通信経路を構築する際の作業性を前記設備情報に基づいて算出するステップと、
算出した結果に基づいて前記候補光通信経路のなかから最適な光通信経路を選出するステップと、
を備えることを特徴とする光通信経路選出方法。
【請求項７】
二点間に光通信経路を構築する場合の最適な光通信経路を選出する光通信経路選出プログラムであって、コンピュータを、
光通信ネットワークに係る各設備の種類や位置を含む設備情報を記憶する記憶手段と、
指定された二点間に構築可能な光通信経路を、前記記憶手段に記憶された設備情報に基づいて候補光通信経路として割り出す候補割出手段と、
前記候補割出手段によって割り出された候補光通信経路を構築する際の作業性を、前記記憶手段に記憶された設備情報に基づいて算出し、その算出結果に基づいて前記候補光通信経路のなかから最適な光通信経路を選出する経路選出手段、
として機能させるための光通信経路選出プログラム。
【発明の詳細な説明】
【技術分野】
【０００１】
この発明は、二点間に光通信経路を構築する場合に、最適な光通信経路を選出する光通信経路選出システム、光通信経路選出方法および光通信経路選出プログラムに関する。
【背景技術】
【０００２】
目的とする二点間に光ファイバによる通信経路を構築する場合には、いろいろな経路が考えられ、これらの経路のなかから、コスト、工事期間および経路距離に基づいて最適な経路を選出するシステムが知られている（例えば、特許文献１参照。）。このシステムは、指示された拠点間で、最低コスト、最短工事期間、最短距離のいずれか、またはこれらの組み合わせに基づく評価値が最適な経路を選出するものである。また、経路構築の支障や規制がない候補経路のなかから、コスト、経路距離および信頼性に基づいて最適な経路を選出するシステムが知られている（例えば、特許文献２参照。）。ここで、このシステムでは、支障、規制とは、道路が長期工事中であるなどのような場合を指し、また、信頼性は、その経路における耐震性信頼度、水害危険度、地盤危険度、老朽度などから算出される。
【特許文献１】特開２００３−０６０５６９号公報
【特許文献２】特開２００３−０５８５８８号公報
【発明の開示】
【発明が解決しようとする課題】
【０００３】
ところで、光通信経路を構築するに際しては、経路によっては許認可を受けなければならない場合がある。例えば、道路を交通規制して光ケーブルの敷設工事などを行う場合には、自治体や警察署に許認可を受けたり、鉄道線路の近くで敷設工事などを行う場合には、その鉄道会社に許可を受けたりする必要がある。そして、このような許認可を受けるには、手続き的な労力と時間を要するばかりでなく、工事が行える期間、時間が制限されるなど、工事が円滑に行えない場合がある。
【０００４】
また、光ファイバの接続作業を要するのか、要する場合には、光ファイバを接続、収容するクロージャが地中にあるのか、架空上にあるのかなどによって、作業の困難性が異なる。さらに、工事対象である光ファイバと同じ光ケーブル（テープ）内に運用中の光ファイバがある場合には、工事によって運用中の光ファイバに影響を与えるおそれがあるため、工事、作業に際してはより正確性、慎重を期す必要がある。
【０００５】
このように、実際の光通信経路の構築に際しては、コストや工事期間、経路距離、信頼性のみならず、上記のような作業性についても考慮して、最適な光通信経路を選出する必要がある。
【０００６】
そこでこの発明は、より最適な光通信経路を選出することが可能な光通信経路選出システム、光通信経路選出方法および光通信経路選出プログラムを提供することを目的とする。
【課題を解決するための手段】
【０００７】
上記目的を達成するために請求項１に記載の発明は、二点間に光通信経路を構築する場合の最適な光通信経路を選出する光通信経路選出システムであって、光通信ネットワークに係る各設備の種類や位置を含む設備情報を記憶する記憶手段と、指定された二点間に構築可能な光通信経路を、前記記憶手段に記憶された設備情報に基づいて候補光通信経路として割り出す候補割出手段と、前記候補割出手段によって割り出された候補光通信経路を構築する際の作業性を、前記記憶手段に記憶された設備情報に基づいて算出し、その算出結果に基づいて前記候補光通信経路のなかから最適な光通信経路を選出する経路選出手段と、を備えることを特徴とする。
【０００８】
この発明によれば、光通信経路を構築する二点を指定すると、候補割出手段によって二点間に構築可能な候補光通信経路が割り出され、さらに、経路選出手段によって候補光通信経路の作業性に基づいて最適な光通信経路が選出される。
【０００９】
請求項２に記載の発明は、請求項１に記載の光通信経路選出システムにおいて、前記最適な光通信経路には、光通信経路が光ケーブルである場合の光ファイバを含む、ことを特徴とする。
【００１０】
請求項３に記載の発明は、請求項１または２に記載の光通信経路選出システムにおいて、前記記憶手段は、工事や作業を行う場合に許認可が必要な場所を許認可情報として記憶し、前記経路選出手段は、前記記憶手段に記憶された許認可情報に基づいて前記作業性を算出する、ことを特徴とする。
【００１１】
請求項４に記載の発明は、請求項１から３に記載の光通信経路選出システムにおいて、前記設備情報には、光ファイバの接続に関する情報を含む、ことを特徴とする。
【００１２】
請求項５に記載の発明は、請求項１から４に記載の光通信経路選出システムにおいて、前記経路選出手段は、前記記憶手段に記憶された情報に基づいて、前記候補光通信経路の構築コスト、構築に要する期間、経路距離および信頼性の少なくともひとつを算出し、その算出結果と前記作業性とに基づいて最適な光通信経路を選出する、ことを特徴とする。
【００１３】
請求項６に記載の発明は、二点間に光通信経路を構築する場合の最適な光通信経路を選出する光通信経路選出方法であって、光通信ネットワークに係る各設備の種類や位置を含む設備情報に基づいて、指定された二点間に構築可能な光通信経路を候補光通信経路として割り出すステップと、割り出した候補光通信経路を構築する際の作業性を前記設備情報に基づいて算出するステップと、算出した結果に基づいて前記候補光通信経路のなかから最適な光通信経路を選出するステップと、を備えることを特徴とする。
【００１４】
請求項７に記載の発明は、二点間に光通信経路を構築する場合の最適な光通信経路を選出する光通信経路選出プログラムであって、コンピュータを、光通信ネットワークに係る各設備の種類や位置を含む設備情報を記憶する記憶手段と、指定された二点間に構築可能な光通信経路を、前記記憶手段に記憶された設備情報に基づいて候補光通信経路として割り出す候補割出手段と、前記候補割出手段によって割り出された候補光通信経路を構築する際の作業性を、前記記憶手段に記憶された設備情報に基づいて算出し、その算出結果に基づいて前記候補光通信経路のなかから最適な光通信経路を選出する経路選出手段、として機能させるためのプログラムである。
【発明の効果】
【００１５】
請求項１、６および７に記載の発明によれば、光通信経路を構築する際の作業性に基づいた最適な光通信経路が選出されるため、より最適な光通信経路を選出することが可能となる。
【００１６】
請求項２に記載の発明によれば、最適な光通信経路として光ケーブルの光ファイバが含まれる。つまり、経路選出手段によって最適な光ファイバ（心線）が選出されるため、複数の光ファイバのなかから最適な光ファイバを選ぶ労力や時間を軽減することができる。
【００１７】
請求項３に記載の発明によれば、許認可が必要な場所の情報に基づいて作業性が算出され、最適な光通信経路が選出されるため、許認可の要否などに応じたより最適な光通信経路を選出することが可能となる。
【００１８】
請求項４に記載の発明によれば、光ファイバの接続に関する情報を含む設備情報に基づいて作業性が算出され、最適な光通信経路が選出されるため、接続の有無や場所などに応じたより最適な光通信経路を選出することが可能となる。
【００１９】
請求項５に記載の発明によれば、光通信経路の構築コスト、構築に要する期間、経路距離および信頼性と、構築する際の作業性とに基づいて最適な光通信経路が選出されるため、作業性のみならず他の要因を考慮したより最適な光通信経路を選出することが可能となる。
【発明を実施するための最良の形態】
【００２０】
以下、この発明を図示の実施の形態に基づいて説明する。
【００２１】
図１は、この発明の実施の形態に係る光通信経路選出システム１を示す概略構成ブロック図である。この光通信経路選出システム１は、二点間に光通信経路を構築する場合の最適な光通信経路を選出するシステムであり、主として、入力装置２と、表示装置３と、データベース（記憶手段）４と、中央処理装置５とを備えている。
【００２２】
入力装置２は、光通信経路を構築する二点（始点と終点）や、後述する選出条件などを入力する装置であり、キーボードやマウスなどで構成される。表示装置３は、後述するネットワーク構成図（設備の配置図）や選出結果などを表示する装置であり、液晶ディスプレイなどで構成される。
【００２３】
データベース４は、光通信ネットワークに係る設備情報や、許認可情報などを記憶する記憶装置である。すなわち、設備情報として、光通信ネットワークを構築する各設備の種類や配置、位置などが地理的な地図上にネットワーク構成図として記憶され、設備が光ファイバの場合には接続に関する情報などが記憶されている。さらに、許認可情報として、工事や作業を行う場合に自治体などの許認可が必要な場所、つまり後述するクロージャが記憶されている。
【００２４】
具体定には、例えば光通信ネットワークの一部として、図２に示すように、ＯＤＦ（光ファイバケーブル配線盤）１０１〜１０３が光ファイバケーブル（光通信経路）によって接続されている場合、次のような情報が記憶される。ここで、第１のＯＤＦ１０１と第２のＯＤＦ１０２が、３つの光ケーブル１１１〜１１３で接続され、第２のＯＤＦ１０２と第３のＯＤＦ１０３が、３つの光ケーブル１１４〜１１６で接続され、図中符号１２１〜１２７は、光ファイバの接続部や余長を収容するクロージャを示す。
【００２５】
まず、光ケーブル１１１〜１１６に関する情報として、図３に示すように、ケーブル長、単位長さあたりのコスト（単価）、および信頼度（信頼性）が記憶される。ここで、コスト（費用）には原価償却を含み、信頼度は、光ケーブルがＯＰＧＷ（ＯＰｔｉｃａｌ  Ｇｒｏｕｎｄ  Ｗｉｒｅ、光ファイバ複合架空地線）か地中ケーブルか、あるいは架空添架ケーブルか、経年はどのくらいか、などの設備自体の通信信頼性に基づいて設定される。例えば、信頼度が最も低い場合を「１．５」、最も高い場合を「１．１」として順次記憶される。また、各光ケーブル１１１〜１１６内には複数の光ファイバを備え、各光ファイバの使用状況が記憶されている。
【００２６】
次に、クロージャ１２１〜１２７に関する情報、つまり光ファイバの接続に関する情報として、図４に示すように、許認可値および危険度が記憶されている。ここで、許認可値には、例えば、許認可を要しない場合には「１」が記憶され、許認可を要する場合には、許認可されるまでに要する時間（期間）の長さに応じて、最も長い場合を「１．５」、最も短い場合を「１．１」として順次記憶される。危険度には、クロージャ１２１〜１２７が地中にあるのか架空上にあるのかによる作業の危険性、困難性や、工事対象である光ファイバと同じ光ケーブル（テープ）内に運用中の光ファイバがあるか、ある場合には運用中の光ファイバが重要度（重要回線か否か）などに基づいて設定される。そして、例えば、最も危険度が高い場合を「１．５」、最も低い場合を「１．１」として順次記憶される。このようなファイバ接続の有無、数、つまりクロージャの有無、数および、許認可値、危険度が、後述するように作業性を算出する基礎データとなる。
【００２７】
このような情報、データは、入力装置２からデータベース４に入力、記憶してもよいし、光通信ネットワークを構築、管理するシステムなどと本システムとを接続し、これらのシステムからのデータ受信によって入力、記憶してもよい。
【００２８】
中央処理装置５は、入力装置２、表示装置３およびデータベース４を管理、制御するとともに、選出タスク（候補割出手段、経路選出手段）５１を備えている。この選出タスク５１は、指定された二点間に構築するのに最適な光通信経路、つまり最適な光ケーブルおよび該光ケーブルのなかでさらに最適な光ファイバ（心線）を選出するプログラムであり、図５に示すフローチャートに基づいている。
【００２９】
まず、選出タスク５１が起動されると、データベース４に記憶された図６に示すようなネットワーク構成図を入力画面として表示装置３に表示し（ステップＳ１）、入力待ちの状態となる。ここで、入力画面はスクロールすることで、ネットワーク構成図の表示位置を変更できるようになっている。次に、光通信経路を構築する始点と終点とが指定、入力されると（ステップＳ２）、この指定された二点間に構築可能な光通信経路を、データベース４に記憶された情報に基づいて候補光通信経路として割り出す（ステップＳ３）。すなわち、ネットワーク構成図上で始点から終点に至る光ケーブルの経路を検索、割り出す。このとき、例えば、中継するＯＤＦの数は同数とするなど、予め定められた条件に基づいて割り出す。ここで、同一の光ケーブルから複数の光ファイバが候補光通信経路として割り出される場合もあり、以下の説明において、光ケーブルには光ファイバが含まれる。
【００３０】
そして、割り出した候補光通信経路を表示装置３に表示するとともに、選出条件を入力する入力エリアを表示装置３に表示する（ステップＳ４）。以下、上記の第１のＯＤＦ１０１と第３のＯＤＦ１０３とが指定され、図２に示すような光ケーブル１１１〜１１６が候補光通信経路として割り出され、表示装置３に表示された場合について説明する。
【００３１】
次に、選出条件が入力されると（ステップＳ５）、最適経路選出ルーチン（経路選出手段）５２を起動し（ステップＳ６）、候補光通信経路のなかから入力された選出条件に最適な光通信経路を選出する。ここで、選出条件は、最適な光通信経路を選出するための条件を示し、光通信経路を構築する際の作業性、構築コスト、構築に要する期間、経路距離および信頼性を指定可能となっている。また、これらの条件項目はひとつでも、複数でもよいが、この実施の形態では、構築する際の作業性は、必須の選出条件となっている。
【００３２】
最適経路選出ルーチン５２では、図７に示すように、まず、各候補光通信経路の作業性を算出する（ステップＳ１１）。例えば、第１の光ケーブル１１１＋第４の光ケーブル１１４という第１の候補光通信経路に対しては、次のように算出する。第１の光ケーブル１１１には、第１のクロージャ１２１と第２のクロージャ１２２とが配設され、
第１のクロージャ１２１の作業性＝許認可値（１．５）＋危険度（１．２）＝２．７
第２のクロージャ１２２の作業性＝許認可値（１．５）＋危険度（１．２）＝２．７
と算出する。同様に、第４の光ケーブル１１４には、第５のクロージャ１２５が配設され、
第５のクロージャ１２５の作業性＝許認可値（１．５）＋危険度（１．３）＝２．８
と算出する。そして、これらの作業性を合計して、
第１の候補光通信経路の作業性＝２．７＋２．７＋２．８＝８．２
と算出する。同様に、第１の光ケーブル１１１＋第５の光ケーブル１１５という第２の候補光通信経路などに対して、作業性を算出する。ここで、許認可値と危険度とを加算して作業性を算出しているが、許認可値と危険度とを乗算して作業性を算出してもよい。
【００３３】
次に、各候補光通信経路の構築コストを算出する（ステップＳ１２）。例えば、上記の第１の候補光通信経路に対しては、次のように算出する。
【００３４】
第１の光ケーブル１１１のコスト＝ケーブル長（１０）×単価（１０）＝１００
第４の光ケーブル１１４のコスト＝ケーブル長（１０）×単価（１５）＝１５０
と算出し、これらの加算合計２５０を第１の候補光通信経路の構築コストとして算出する。同様に、第２の候補光通信経路などに対して構築コストを算出する。
【００３５】
続いて、各候補光通信経路の構築に要する期間の評価値（期間値）を算出する（ステップＳ１３）。この実施の形態では、構築に要する期間は、光ファイバの接続作業、つまりクロージャの有無と数、自治体などからの許認可に要する期間によって変動するものとし、例えば、第１の候補光通信経路に対しては、次のように算出する。
【００３６】
第１の光ケーブル１１１の期間値＝第１のクロージャ１２１の許認可値（１．５）
＋第２のクロージャ１２２の許認可値（１．５）＝３．０
第４の光ケーブル１１４の期間値＝第５のクロージャ１２５の許認可値＝１．５
従って、第１の候補光通信経路の期間値＝３．０＋１．５＝４．５
同様に、第２の候補光通信経路などに対して期間値を算出する。ここで、上記のように、許認可を要しない場合には許認可値が「１」となっている。つまり、許認可を要しない場合に工事、作業に要する期間を基準期間とし、この基準期間に対する相対値を、許認可を要する場合の期間の許認可値としている。また、各クロージャの許認可値を加算して期間値を算出しているが、許認可値を乗算して期間値を算出してもよい。
【００３７】
次に、各候補光通信経路の経路距離を算出する（ステップＳ１４）。例えば、上記の第１の候補光通信経路に対しては、
経路距離＝第１の光ケーブル１１１のケーブル長（１０）
＋第４の光ケーブル１１４のケーブル長（１０）＝２０
と算出し、同様に、第２の候補光通信経路などに対して経路距離を算出する。
【００３８】
さらに、各候補光通信経路の信頼性を算出する（ステップＳ１５）。例えば、上記の第１の候補光通信経路に対しては、
信頼性＝第１の光ケーブル１１１の信頼度（１．５）
＋第４の光ケーブル１１４の信頼度（１．３）＝２．８
と算出し、同様に、第２の候補光通信経路などに対して信頼性を算出する。
【００３９】
ここで、上記のように同一の光ケーブルから複数の光ファイバが候補光通信経路として割り出された場合には、上記のステップＳ１１〜Ｓ１５において、各光ファイバに対して作業性、構築コストなどを算出する。
【００４０】
続いて、選出条件に従って各候補光通信経路の総合点を算出する（ステップＳ１６）。すなわち、選出条件として指定された条件項目の上記算出値を総計して総合点を算出する。例えば、選出条件として、構築する際の作業性と構築に要する期間とが指定された場合、上記の第１の候補光通信経路に対しては、
総合点＝作業性（８．２）＋期間値（４．５）＝１２．７
と算出し、同様に、第２の候補光通信経路などに対して総合点を算出する。ここで、作業性と期間値とを乗算して総合点を算出してもよい。
【００４１】
また、選出条件として、構築する際の作業性と構築コストとが指定された場合、第１の候補光通信経路に対しては、
総合点＝作業性（８．２）×構築コスト（２５０）＝２０５０
と算出し、同様に、第２の候補光通信経路などに対して総合点を算出する。
【００４２】
次に、算出した総合点が最も低い候補光通信経路を最適な光通信経路として選出する（ステップＳ１７）。そして、これらの結果、つまり上記算出結果や選出結果をメモリ（バッファ）に記憶する（ステップＳ１８）ものである。ここで、上記のように同一の光ケーブルから複数の光ファイバが候補光通信経路として割り出された場合には、最適な光通信経路として光ケーブルとそのなかの光ファイバとを選出する。
【００４３】
このような最適経路選出ルーチン５２が終了すると、最適経路選出ルーチン５２において選出された最適な光通信経路を表示装置３に表示するとともに、選出条件を変更するか否かを入力する入力エリアを表示装置３に表示する（ステップＳ７）。そして、変更する指示が入力されると（ステップＳ８で「Ｙ」の場合）、ステップＳ５に戻り、選出条件の入力待ち状態となる。この場合、既に作業性などを算出し、記憶しているため、最適経路選出ルーチン５２においてはステップＳ１６から開始する。また、変更しない指示が入力されると（ステップＳ８で「Ｎ」の場合）、タスクを終了するものである。
【００４４】
このような選出タスク５１と、中央処理装置５（コンピュータ）を上記のようなデータベース４として機能させるためのプログラムが、光通信経路選出プログラムを構成している。
【００４５】
次に、このような構成の光通信経路選出システム１の作用および、光通信経路選出システム１による光通信経路選出方法について説明する。
【００４６】
まず、入力装置２から選出タスク５１を起動すると、上記のように表示装置３に入力画面が表示される。次に、光通信経路を構築する始点と終点を入力装置２で指定、入力すると、上記のようにして、データベース４に記憶された設備情報（ネットワーク構成図）に基づいて、この二点間に構築可能な光通信経路が候補光通信経路として割り出され（割り出しステップ）、表示装置３に表示される。続いて、入力装置２で選出条件を入力すると、上記のようにして、各候補光通信経路に対して経路を構築する際の作業性や構築コストなどが、データベース４に記憶された設備情報や許認可情報などに基づいて算出される（算出ステップ）。そして、算出した結果と選出条件とに基づいて最適な光通信経路が選出され（選出ステップ）、表示装置３に表示されるものである。
【００４７】
以上のように、この光通信経路選出システム１および光通信経路選出方法によれば、各候補光通信経路に対して作業性が算出され、その算出結果に基づいて最適な光通信経路が選出されるため、作業性に基づくより最適な光通信経路を選出することが可能となる。しかも、許認可の有無や許認可までに要する期間、さらには、光ファイバの接続の有無や運用中の光ファイバの重要度などに基づいて作業性が算出される。このため、工事場所や接続状況などに応じたより最適な光通信経路を選出することが可能となる。また、作業性のみならず、必要に応じて光通信経路の構築コスト、構築に要する期間、経路距離および信頼性に基づいて最適な光通信経路が選出されるため、作業性と他の要因を考慮したより最適な光通信経路を選出することが可能となる。さらには、各候補光通信経路の作業性の算出結果などを表示装置３に表示することで、作業性などを定量的に事前に把握することが可能となる。しかも、最適な光通信経路として最適な光ファイバまで選出されるため、光ケーブル中の複数の光ファイバのなかから最適な光ファイバを選ぶ労力や時間を軽減することができる。
【００４８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、各候補光通信経路の作業性や構築コストなどの数値から総合点を算出しているが、作業性や構築コストなどの各条件項目についての各候補光通信経路の順位に基づいて、総合点を算出するようにしてもよい。例えば、作業性が１位で構築コストが３位の場合には、総合点を「４」と算出する。また、選出条件として選出の優先順位を含め、第一優先として作業性が指定された場合には、作業性が最もよい候補光通信経路を選出し、作業性が同値の候補光通信経路が複数ある場合に、第二優先として指定された条件項目に基づいて候補光通信経路を選出してもよい。さらに、最適経路選出ルーチン５２において、作業性や構築コストなどすべての条件項目について算出しているが、選出条件に応じた条件項目についてのみ算出してもよい。この場合、候補光通信経路を構成する光ケーブルごとに複数項目の総合点を算出し、各光ケーブルの総合点を加算、乗算などして候補光通信経路の総合点を算出してもよい。
【００４９】
また、上記の実施の形態では、作業性をクロージャの許認可値と危険度とから算出しているが、各設備の種類や配置、位置などの設備情報から作業性を算出してもよい。すなわち、各設備の種類に応じた作業性の難易度をデータベース４に記憶し、この難易度に基づいて作業性を算出したり、各設備の配置、位置、つまり地理的、構造的条件（都市部か郊外か、地中か架空上かなど）に基づいて作業性を算出したりしてもよい。さらに、工事対象である光ファイバと同じ光ケーブル内に空き（未使用）の光ファイバが確保されるか否かによって、作業性を算出するようにしてもよい。すなわち、事故時などに備えて光ケーブル内に空きの光ファイバが確保されることを条件に、最適な光通信経路を選出してもよい。また、光通信経路は光ファイバケーブルに限らず、メタルケーブルなどでもよいことは勿論である。
【図面の簡単な説明】
【００５０】
【図１】この発明の実施の形態に係る光通信経路選出システムを示す概略構成ブロック図である。
【図２】図１のシステムのデータベースに記憶されたネットワーク構成図の一例を示す図である。
【図３】図１のシステムのデータベースに記憶された光ケーブルに関する情報の一例を示す図である。
【図４】図１のシステムのデータベースに記憶されたクロージャに関する情報の一例を示す図である。
【図５】図１のシステムの中央処理装置に備わる選出タスクのフローチャートである。
【図６】図５の選出タスクのステップＳ１で表示する入力画面の一例を示す図である。
【図７】図５の選出タスクにおける最適経路選出ルーチンのフローチャートである。
【符号の説明】
【００５１】
１          光通信経路選出システム
２          入力装置
３          表示装置
４          データベース（記憶手段）
５          中央処理装置
５１        選出タスク（候補割出手段、経路選出手段）
５２        最適経路選出ルーチン（経路選出手段）
【図１】
2010016502.tif 000003
【図２】
2010016502.tif 000004
【図３】
2010016502.tif 000005
【図４】
2010016502.tif 000006
【図５】
2010016502.tif 000007
【図６】
2010016502.tif 000008
【図７】
2010016502.tif 000009